(57)【要約】【課題】  記録媒体の厚さが薄い場合でも、良好に両面同時読取を高速に行うことのできる画像読取装置及び画像読取方法を提供することである。【解決手段】  記録媒体の搬送路に沿い、その搬送路を挟んで相対して設けられた第１のセンサと第２のセンサとによって記録媒体の第１及び第２の面に記録された画像を光学的に読み取る。その際、その記録媒体の厚さを設定し、その設定された記録媒体の厚さに従って、第１のセンサの発光部からの発光と第２のセンサの発光部からの発光タイミングを制御して記録媒体の両面に記録された画像を読み取るよう制御する。【選択図】  図３
2007049314.tif 000002
【特許請求の範囲】
【請求項１】
シート状の記録媒体の両面に記録された画像を読み取る画像読取装置であって、
前記記録媒体を第１の方向に搬送する搬送手段と、
前記搬送手段による記録媒体の搬送路に沿って設けられ、前記記録媒体の第１の面に記録された画像を光学的に読み取る第１の読取手段と、
前記記録媒体の搬送路を挟んで前記第１の読取手段とは対向する側に設けられ、前記第１の面とは反対側の第２の面に記録された画像を光学的に読み取る第２の読取手段と、
前記記録媒体の厚さを設定する設定手段と、
前記設定手段によって設定された前記記録媒体の厚さに従って、前記第１の読取手段の発光部からの発光と前記第２の読取手段の発光部からの発光タイミングを制御して前記記録媒体の両面に記録された画像を読み取るよう制御する制御手段とを有することを特徴とする画像読取装置。
【請求項２】
前記第１及び第２の読取手段は夫々、発光部としてＬＥＤと、該ＬＥＤによって照射された光を受光するセンサとを有し、
前記第１及び第２の読取手段は夫々、前記第１の方向とは直角である第２の方向に所定の読取幅をもつことを特徴とする請求項１に記載の画像読取装置。
【請求項３】
前記第２の方向に関する前記記録媒体の幅を検知する検知手段と、
前記検知手段によって検出された前記記録媒体の幅と前記第１及び第２の読取手段の読取幅とを比較する比較手段とをさらに有することを特徴とする請求項２に記載の画像読取装置。
【請求項４】
前記制御手段はさらに、前記比較手段による比較結果に従って、前記第１の読取手段の発光部からの発光と前記第２の読取手段の発光部からの発光タイミングを制御することを特徴とする請求項３に記載の画像読取装置。
【請求項５】
前記制御手段は、前記記録媒体の厚さが薄いか、前記記録媒体の幅が前記第１及び第２の読取手段の読取幅より短いかの少なくともいずれかである場合は、前記第１の読取手段の発光部からの発光と前記第２の読取手段の発光部からの発光のタイミングとが排他的であるように制御することを特徴とする請求項４に記載の画像読取装置。
【請求項６】
前記制御手段はさらに、前記搬送手段を制御して前記記録媒体の搬送速度を遅くすることを特徴とする請求項５に記載の画像読取装置。
【請求項７】
前記制御手段は、前記記録媒体の厚さが厚く、かつ、前記記録媒体の幅が前記第１及び第２の読取手段の読取幅である場合は、前記第１の読取手段の発光部からの発光と前記第２の読取手段の発光部からの発光タイミングとが同時的であるように制御することを特徴とする請求項４に記載の画像読取装置。
【請求項８】
前記設定手段は、マニュアル設定を行うマニュアル設定手段であることを特徴とする請求項１に記載の画像読取装置。
【請求項９】
前記設定手段は、自動設定を行う自動設定手段であることを特徴とする請求項１に記載の画像読取装置。
【請求項１０】
前記自動設定手段は、
前記搬送手段を制御して前記記録媒体を前記第１の読取手段の読取位置まで搬送し、
前記第１の読取手段の発光部を制御して、前記記録媒体の第１の面に光を照射し、
前記第２の読取手段を制御して、前記第１の面から透過される光を受光し、
前記受光される透過光を光電変換することで発生する電気信号を所定の閾値と比較し、前記比較結果から前記記録媒体の厚みを判定することを特徴とする請求項９に記載の画像読取装置。
【請求項１１】
シート状の記録媒体の両面に記録された画像を前記記録媒体を所定方向に搬送しながら前記記録媒体の搬送路に沿って設けられ、前記記録媒体の第１の面に記録された画像を光学的に読み取る第１の読取手段と前記記録媒体の搬送路を挟んで前記第１の読取手段とは対向する側に設けられ、前記第１の面とは反対側の第２の面に記録された画像を光学的に読み取る第２の読取手段とによって読み取る画像読取方法であって、
前記記録媒体の厚さを設定する設定工程と、
前記設定工程において設定された前記記録媒体の厚さに従って、前記第１の読取手段の発光部からの発光と前記第２の読取手段の発光部からの発光タイミングを制御して前記記録媒体の両面に記録された画像を読み取るよう制御する制御工程とを有することを特徴とする画像読取方法。
【発明の詳細な説明】
【技術分野】
【０００１】
本発明は画像読取装置及び画像読取方法に関し、特に、例えば、シート状の記録媒体の両面に記録された画像を光学的密着センサにより読み取る画像読取装置及びその装置に適用される画像読取方法に関する。
【背景技術】
【０００２】
従来より、シート状の記録媒体の両面に記録された画像をその記録媒体を移動させながら、両面同時読み取りを行う構成の画像読取装置がある。その装置は、小型化を図るために、記録媒体の表面の画像を読み取る密着センサと裏面の画像を読み取る密着センサとを上下対象の位置に配置する構成をとっている。
【０００３】
例えば、特許文献１では、画像読取装置の高さを低くするため記録媒体の搬送方向を上下させているが、このような構成でも、装置の横方向は小さくならない。
【０００４】
また、特許文献２では上下２つの密着センサを近傍に配置することで両面読取りを実現することを提案している。特に、この提案では、読取部近傍での原稿のばたつきを押さえることを目的とした構成を採用している。そのため、表面の読取りセンサと裏面の読取りセンサの位置は、これら相対する２つのセンサのＬＥＤ光源の影響が出るほど近傍に配置される構成とはなっていない。
【０００５】
さらに、特許文献３では、記録媒体を挟んで相対する位置に読取り密着センサを配置する構成を開示している。しかしながら、特許文献３では、記録媒体と密着センサに位置に関係する記載はあるが、相対する密着センサのＬＥＤ光源の影響については記載していない。
【特許文献１】特開平８−１０２８２１号公報
【特許文献２】特開２０００−１１５４５２号公報
【特許文献３】特開平１０−１９０９３８号公報
【発明の開示】
【発明が解決しようとする課題】
【０００６】
さて、上記従来例のような記録媒体の表面と裏面の画像を同時に読み取るために２つの密着センサを上下対象に配置する構成の画像読取装置では、反対側の密着センサのＬＥＤ光源により裏写り等が発生して、画像が正しく読めないことが生じる。特に、記録媒体の厚さが薄い場合、裏写りが激しく濃度も著しく正常な濃度からは離れてしまう場合が発生する。さらに、記録媒体の厚さが薄い場合、これを高速読取のために高速で搬送すると、その記録媒体がばたついてしまう。その結果、密着センサのピントがずれて正確に画像を読み取ることができない場合が生じてしまう。
【０００７】
本発明は上記従来例に鑑みてなされたもので、記録媒体の厚さが薄い場合でも、良好に両面同時読取を高速に行うことのできる画像読取装置及び画像読取方法を提供することを目的としている。
【課題を解決するための手段】
【０００８】
上記目的を達成するため本発明の画像読取装置は以下の構成からなる。
【０００９】
即ち、シート状の記録媒体の両面に記録された画像を読み取る画像読取装置であって、前記記録媒体を第１の方向に搬送する搬送手段と、前記搬送手段による記録媒体の搬送路に沿って設けられ、前記記録媒体の第１の面に記録された画像を光学的に読み取る第１の読取手段と、前記記録媒体の搬送路を挟んで前記第１の読取手段とは対向する側に設けられ、前記第１の面とは反対側の第２の面に記録された画像を光学的に読み取る第２の読取手段と、前記記録媒体の厚さを設定する設定手段と、前記設定手段によって設定された前記記録媒体の厚さに従って、前記第１の読取手段の発光部からの発光と前記第２の読取手段の発光部からの発光タイミングを制御して前記記録媒体の両面に記録された画像を読み取るよう制御する制御手段とを有することを特徴とする。
【００１０】
ここで、前記第１及び第２の読取手段は夫々、発光部としてＬＥＤと、そのＬＥＤによって照射された光を受光するセンサとを有し、また、前記第１及び第２の読取手段は夫々、前記第１の方向とは直角である第２の方向に所定の読取幅をもつような構成となっていることが望ましい。
【００１１】
さらに、前記第２の方向に関する前記記録媒体の幅を検知する検知手段と、前記検知手段によって検出された前記記録媒体の幅と前記第１及び第２の読取手段の読取幅とを比較する比較手段とを有することが望ましい。
【００１２】
このような構成で、前記制御手段はさらに、前記比較手段による比較結果に従って、第１の読取手段の発光部からの発光と第２の読取手段の発光部からの発光タイミングを制御することが望ましい。
【００１３】
具体的には、前記制御手段は、前記記録媒体の厚さが薄いか、前記記録媒体の幅が第１及び第２の読取手段の読取幅より短いかの少なくともいずれかである場合は、第１の読取手段の発光部からの発光と第２の読取手段の発光部からの発光のタイミングとが排他的であるように制御することが望ましい。そして、さらに、前記搬送手段を制御して前記記録媒体の搬送速度を遅くすることが望ましい。
【００１４】
これに対して、前記記録媒体の厚さが厚く、かつ、その幅が第１及び第２の読取手段の読取幅である場合は、前記制御手段は、第１の読取手段の発光部からの発光と第２の読取手段の発光部からの発光のタイミングとが同時的であるように制御することが望ましい。
【００１５】
さて、前記設定手段は、マニュアル設定を行うマニュアル設定手段でも良いし、或いは自動設定を行う自動設定手段でも良い。
【００１６】
この自動設定手段は、具体的には、搬送手段を制御して記録媒体を第１の読取手段の読取位置まで搬送し、その発光部を制御して、その記録媒体の第１の面に光を照射し、第２の読取手段を制御して、第１の面から透過される光を受光し、その受光される透過光を光電変換することで発生する電気信号を所定の閾値と比較し、その比較結果から記録媒体の厚みを判定することにより実現される。
【００１７】
また他の発明によれば、シート状の記録媒体の両面に記録された画像を前記記録媒体を所定方向に搬送しながら前記記録媒体の搬送路に沿って設けられ、前記記録媒体の第１の面に記録された画像を光学的に読み取る第１の読取手段と前記記録媒体の搬送路を挟んで前記第１の読取手段とは対向する側に設けられ、前記第１の面とは反対側の第２の面に記録された画像を光学的に読み取る第２の読取手段とによって読み取る画像読取方法であって、前記記録媒体の厚さを設定する設定工程と、前記設定工程において設定された前記記録媒体の厚さに従って、前記第１の読取手段の発光部からの発光と前記第２の読取手段の発光部からの発光タイミングを制御して前記記録媒体の両面に記録された画像を読み取るよう制御する制御工程とを有することを特徴とする画像読取方法を備える。
【発明の効果】
【００１８】
従って本発明によれば、記録媒体を搬送させてその記録媒体の両面に記録された画像を読み取る際に、その記録媒体の厚さや幅に従って、対向する２つの読取手段の発光タイミングを適切に制御することができるという効果がある。
【００１９】
これにより、例えば、薄い記録媒体を読み取る際にも２つの読取手段の発光部からの発光タイミングを排他的にすることにより、裏写りを回避して正確な画像読取を行うことができる。さらに、搬送速度を遅く制御することにより、画像のぶれ等を回避して画像を正確に読み取ることができる。これに対して、読取手段の読取幅と同じ幅で十分に厚みのある記録媒体からの読取を行う場合には、２つの発光部からの発光タイミングを同時的に行うよう制御するのでより正確にかつより高速に画像読取を行うことができる。
【００２０】
さらに、記録媒体の厚みを自動的に設定する手段を備えることにより、読み取り記録媒体の厚みに関わらず、裏移りのない良好な読み取りを自動的に行うことが可能になる。
【発明を実施するための最良の形態】
【００２１】
以下添付図面を参照して本発明の好適な実施例について、さらに具体的かつ詳細に説明する。
【００２２】
図１は本発明の代表的な実施例である画像読取装置の概略構成を示すブロック図である。この画像読取装置は、シート状の記録媒体の両面に記録されたカラー画像を同時に読取ることができる。また、この画像読取装置は外部装置であるホスト（不図示）から制御されて動作する構成となっている。
【００２３】
図１において、矢印Ａは記録媒体の搬送進行方向を示す。読み取り対象となる画像が記録された記録媒体３は、原稿載置台（不図示）の上に置かれ、搬送ローラ７と搬送ローラ６により矢印Ａの方向に搬送される。搬送路上を移動した記録媒体３はその表面に記録された画像を読み取るコンタクト画像センサ（ＣＩＳ）１とその裏面に記録された画像を読み取るコンタクト画像センサ（ＣＩＳ）２の中間に位置する読取位置に達する。その読取位置に達した記録媒体３はＣＩＳ１の内部に備えられた原稿照明用の光源であるＬＥＤユニット１１から、ＣＩＳ２の内部に備えられた原稿照明用の光源であるＬＥＤユニット１５から、或いは、その両方のＬＥＤユニットからの照射光で照射される。
【００２４】
なお、これら２つのＣＩＳは記録媒体の幅に相当する読取幅をもっている。その読取幅の方向は矢印Ａには直角の、図面の紙面に対して垂直の方向である。この方向を主走査方向といい、矢印Ａが示す記録媒体の搬送方向を副走査方向とも言う。従って、記録媒体を２つのＣＩＳにより挟むようにして、その記録媒体を矢印Ａの方向に搬送することで、その記録媒体の両面に記録された画像を同時に読み取ることが可能になる。
【００２５】
また、２つのＬＥＤユニット１１、１５には夫々、カラー画像を読み取るために、青色ＬＥＤ、赤色ＬＥＤ、緑色ＬＥＤが備えられている。
【００２６】
さて、ＬＥＤ点灯制御選択部（ＳＥＬ）９はＬＥＤユニット１１とＬＥＤユニット１５の点灯を制御し、同時点灯制御、排他点灯制御のいずれかを選択することが可能なユーザによる指示ボタンである。同時点灯制御とは、２つのＬＥＤユニット１１、１５を同時点灯して記録媒体を両面から照射する制御である。これに対して、排他点灯制御とは２つのＬＥＤユニットの内、いずれか１つを点灯するように制御して、記録媒体を両面から同時に照射することのないようにする制御である。
【００２７】
ＣＩＳ１のＬＥＤユニット１１により照射された光の記録媒体３での反射光はレンズ１２を通してセンサユニット１０上に結像される。センサユニット１０では結像された反射光が光電変換され電気信号として制御基板８へ送られる。一方、ＣＩＳ２のＬＥＤユニット１５により照射された光の記録媒体３での反射光はレンズ１３を通してセンサユニット１４上に結像される。センサユニット１４では結像された反射光が光電変換され電気信号として制御基板８へ送られる。
【００２８】
その後、記録媒体３は読取位置を通過した後、搬送ローラ４と搬送ローラ５により原稿排紙台（不図示）上に排紙される。また、記録媒体３が矢印Ａの方向に移動中にセンサ（ＤＴＣ）１６の位置に達すると、記録媒体３の幅が検知され、その検知結果を示す信号が制御回路８に送られる。図１から明らかなように、センサ１６は記録媒体の搬送方向に関し、２つのＣＩＳによる画像読取位置の上流側に置かれる。これにより、後述する読取制御が可能になる。
【００２９】
図２は図１に示した画像読取装置の制御回路の内部構成を示すブロック図である。
【００３０】
図２において、ＣＩＳ１とＣＩＳ２から送られる画像信号はマルチプレクサ（ＭＵＸ）２１に入力され、そのいずれかの画像信号を選択し画像処理部２３に送信される。画像処理部２３ではマルチプレクサ（ＭＵＸ）２１から送られた画像信号にＡ／Ｄ変換、デジタルゲイン、シェーディング補正などの処理が施される。メモリ２２にはシェーディング補正データ、ガンマ補正データや搬送モータを駆動させるためのデータテーブルなどが格納されている。
【００３１】
画像処理部２３において処理された画像データはインタフェース（Ｉ／Ｆ）２４に送られる。インタフェース（Ｉ／Ｆ）２４では通信プロトコルに従って外部装置であるホストと通信を行い、ホストから送信されたコマンドに従って画像データをホストに転送する。また、モータドライバ２５はホストから送信されたコマンドに従って動作する読取制御部２７からの指示に従ってステッピングモータである２つの搬送モータ３１、３２への電力供給を行い搬送ローラを駆動する。ＬＥＤ点灯制御部２６ではＬＥＤ点灯制御選択部（ＳＥＬ）９からの指令に従い、ＣＩＳ１とＣＩＳ２の光源ＬＥＤへの電力供給を制御する。
【００３２】
この実施例に従う画像読取装置では２つの搬送モータを備え、夫々が図１に示す１対の搬送ローラ６、７と、もう１対の搬送ローラ４、５を駆動する構成となっている。なお、本発明はこれによって限定されるものではなく、１つの搬送モータにより、２対の搬送モータを駆動する構成を用いても良い。
【００３３】
また、この実施例に従う画像読取装置では２対の搬送ローラにより記録媒体を搬送してその両面に記録された画像を読取る構成を用いているが本発明はこれによって限定されるものではない。例えば、２つのＣＩＳを記録媒体に対して移動させ、記録媒体に記録されている画像を読み取るようにしても良い。
【００３４】
図３は記録媒体の両面の画像を読取るために排他点灯制御を行う際のＬＥＤの点灯タイミングを示したタイミングチャートである。この図は、２つのＣＩＳがその読取幅方向に１ライン分の画像を読み取るタイミングを示している。
【００３５】
図３に示すタイミングチャートによれば、まず、記録媒体表面の画像読取のため、ＣＩＳ１のＬＥＤユニット１１のセンサＬＥＤの赤色ＬＥＤが点灯される。続いて、裏面の画像読取のため、ＣＩＳ２のＬＥＤユニット１５の赤色ＬＥＤが点灯される。以下、ＬＥＤユニット１１の緑色ＬＥＤ、ＬＥＤユニット１５の緑色ＬＥＤ、ＬＥＤユニット１１の青色ＬＥＤ、ＬＥＤユニット１５の青色ＬＥＤの順番で全てのＬＥＤが排他的に点灯される。このように片面ずつ読み取りを行うことによって、両面同時に読み取りを行う際のように反対側の光源の影響で裏移りが起こることを避けることができる。しかしながら、排他点灯制御を用いると、全ＬＥＤが夫々順次点灯され、同時点灯されることがないため時間がかかる。
【００３６】
図４は記録媒体の両面の画像を読取るために同時点灯制御を行う際のＬＥＤの点灯タイミングを示したタイミングチャートである。
【００３７】
図４に示すタイミングチャートによれば、ＬＥＤユニット１１、１５の赤色ＬＥＤが同時に点灯される。続いて、ＬＥＤユニット１１、１５の緑色ＬＥＤが同時に点灯され、次にＬＥＤユニット１１、１５の青色ＬＥＤが同時に点灯される。
【００３８】
図３と図４とを比較すると分かるように、同時点灯制御は、ＬＥＤが表面と裏面で同時に点灯され、かつ表面と裏面の画像が同時に読取られるため、排他点灯制御に比べて約２倍の速度で画像を読み取る、即ち、記録媒体を搬送することができる。
【００３９】
しかし、裏写りのしやすい厚さの薄い記録媒体の場合に同時点灯制御を適用すると、相対するＬＥＤ光源の影響を受けて、画像濃度が低くなり正確な画像読取ができない場合がある。また、薄い記録媒体を高速で搬送すると、その搬送がスムーズに行われず記録媒体がばたついてしまう。その結果、ＣＩＳと記録媒体との間の距離が変化して、ＣＩＳ上に結像した画像のピントがずれ、精確な画像読取ができない場合がある。
【００４０】
このような問題を解決するために、この実施例では、厚さの薄い記録媒体の画像の両面読取を行う場合には、排他点灯制御を適用する。これにより薄い記録媒体の裏写りを回避できる。また、排他点灯制御では、記録媒体の搬送速度を低速にするようにも制御するため、薄い記録媒体でもＣＩＳと記録媒体との間の距離が安定し、ピントあった画像を読み取ることができる。
【００４１】
また、同時点灯制御と排他点灯制御とはＬＥＤ点灯制御選択部（ＳＥＬ）９によりユーザにより選択することができる。従って、ユーザが記録媒体の厚みにより、同時点灯制御か排他点灯制御を適宜選択することができる。
【００４２】
次に、ＣＩＳの主走査方向の読取幅より短い幅の記録媒体が読み取られる場合の制御について説明する。
【００４３】
例えば、ＣＩＳの画像読取幅がＡ４サイズの幅（約２１０ｍｍ）であり、Ａ５サイズの記録媒体を縦方向で読取る場合を考える。この場合、２１０ｍｍからＡ５サイズの幅である１４８ｍｍをひいた６２ｍｍが記録媒体が無い状態となる。このような条件で同時点灯制御を行って画像読取を行うと、相対するＬＥＤ光源からの光が反対側のＣＩＳに入射して、ＣＩＳからの出力が部分的にオーバフローし、正常な画像読み取りができない。
【００４４】
この問題を解決するため、この実施例では、画像読取（即ち、ＬＥＤによる照射）の前にセンサ（ＤＴＣ）１６により記録媒体の幅を検知している。そして、その検知幅を検知信号としてＬＥＤ点灯制御部２６に送信し、ＬＥＤ点灯に排他点灯制御を適用するか、或いは同時点灯制御を適用するかを自動的に切り替えるように制御している。
【００４５】
以上説明した制御はフローチャートにまとめられる。
【００４６】
図５はこの実施例に従う読取制御を示すフローチャートである。
【００４７】
まずステップＳ１では、センサ（ＤＴＣ）１６からの検知信号に従って、記録媒体の幅（ＰＷ）がＣＩＳの読取幅（ＳＷ）未満であるかどうかを調べる。ここで、ＰＷ＜ＳＷであれば、処理はステップＳ４に進み、ＰＷ≧ＳＷであれば、処理はステップＳ２に進む。なお、制御上は、ＰＷ≧ＳＷとして判定処理を実行しているが、実際には読取幅より長い記録媒体は装置の搬送路に挿入できない。従って、実質的には、読取幅と同じ幅の記録媒体が検出されれば、即ち、ＰＷ＝ＳＷであれば、処理はステップＳ２に進むことになる。
【００４８】
次に、ステップＳ２ではＬＥＤ点灯制御選択部（ＳＥＬ）９が同時点灯制御を選択しているか、或いは排他点灯制御を選択しているかを調べる。ここで、記録媒体の厚さが薄く、排他点灯制御が適切であるなら処理はステップＳ４に進み、その厚さが厚く、同時点灯制御が適切であるなら処理はステップＳ３に進む。
【００４９】
そして、ステップＳ３では、図４のタイムチャートを参照して説明した同時点灯制御の選択する。また、ステップＳ４では図３のタイムチャートを参照して説明した排他点灯制御を選択する。ステップＳ３或いはＳ４の処理の後、処理はステップＳ５に進み、画像読み取りを開始する。
【００５０】
従って以上説明した実施例に従えば、記録媒体に記録された画像の両面同時読取に際して、記録媒体の幅と記録媒体の厚さに従って、２つのＬＥＤユニットの同時点灯制御と排他点灯制御のいずれかを選択することができる。これにより、例えば、ＣＩＳの読取幅より幅の短い記録媒体を読み取るときには、ＣＩＳからの出力がオーバフローにならないように排他点灯制御が選択される。また、薄い記録媒体を読み取るときには、画像の裏写りが発生しないように排他点灯制御が選択される。このようにして正確な画像を読み取ることが可能になる。
【００５１】
一方、ＣＩＳの読取幅と同じ幅で十分に厚みのある記録媒体からの読取を行う場合には、同時点灯制御が選択される。これにより、正確にかつより高速に画像読取を行うことができる。
【００５２】
＜他の実施例＞
ここでは、記録媒体の厚さを自動的に検出して、その検出結果に従ってＬＥＤの発光制御を排他点灯制御とするか或いは同時点灯制御とするかを切り換える制御について説明する。
【００５３】
図５はこの実施例に従う読取制御を示すフローチャートである。
【００５４】
まずステップＳ１０では、搬送ローラを動作させて、記録媒体をＣＩＳによる読取可能な位置まで搬送する。なお、この位置は迷光などの外乱要因を防ぐため、装置内の十分に奥となっている。
【００５５】
次に、ステップＳ２０では、ＣＩＳ１のＬＥＤユニット１１のＬＥＤを点灯させる。この際点灯させるＬＥＤは赤色ＬＥＤ、緑色ＬＥＤ、青色ＬＥＤのいずれかである。また、全ての色のＬＥＤを同時に点灯させても良い。さらにステップＳ３０ではＣＩＳ２のセンサユニット１４で光量検知を行う。この時、ＣＩＳ２のＬＥＤユニット１５のＬＥＤは点灯していない。
【００５６】
このようにして、通常の画像読取動作とは異なり、ここでは、記録媒体を透過した光を読み取ることになる。さらに、ＣＩＳ２のセンサユニット１５ではその透過光を受光して光電変換し、電気信号としてＬＥＤ点灯制御部２６に転送する。
【００５７】
処理はステップＳ４０において、ＣＩＳ２のセンサユニット１５の出力信号（ＴＲＰ）と予め設定されている基準値（ＴＨ）とを比較する。ここで、ＴＲＰ＞ＴＨであれば、処理はステップＳ５０に進み、ＴＲＰ≦ＴＨであれば、処理はステップＳ８０に進む。
【００５８】
そして、ステップＳ５０では、現在読み取りを行う記録媒体の厚さは薄いと判定する。その後、ステップＳ６０ではその記録媒体を一旦読み取り開始位置まで戻し、ステップＳ７０ではＬＥＤ点灯制御として排他点灯制御を選択して、記録媒体の両面画像読取りを行う。
【００５９】
これに対して、ステップＳ８０では、現在読み取りを行う記録媒体の厚さは厚いと判定する。その後、ステップＳ９０では、その記録媒体を一旦読み取り開始位置まで戻し、ステップＳ１００ではＬＥＤ点灯制御として同時点灯制御を選択して、記録媒体の両面画像読み取りを行う。
【００６０】
従って以上説明した実施例に従えば、ＬＥＤ点灯制御選択部（ＳＥＬ）によるユーザからの指示がなくても自動的に記録媒体の厚さを検出して最適なＬＥＤ点灯制御を行うことができる。
【００６１】
なお、以上説明した実施例で用いた画像読取装置は、外部装置としてホストを接続する構成の装置であったが、このような画像読取装置を記録装置やファクシミリ装置と一体化した複合機のスキャナ部として用いても良い。この場合には、その画像読取装置は複合機のＣＰＵにより制御される。
【図面の簡単な説明】
【００６２】
【図１】本発明の代表的な実施例である画像読取装置の概略構成を示すブロック図である。
【図２】図１に示した画像読取装置の制御回路の内部構成を示すブロック図である。
【図３】記録媒体の両面の画像を読取るために排他点灯制御を行う際のＬＥＤの点灯タイミングを示したタイミングチャートである。
【図４】記録媒体の両面の画像を読取るために同時点灯制御を行う際のＬＥＤの点灯タイミングを示したタイミングチャートである。
【図５】読取制御を示すフローチャートである。
【図６】他の実施例に従う読取制御を示すフローチャートである。
【符号の説明】
【００６３】
１、２  コンタクト画像センサ（ＣＩＳ）
３  記録媒体
４〜７  搬送ローラ
８  制御回路
９  ＬＥＤ点灯制御選択部（ＳＥＬ）
１０、１４  センサユニット
１１、１５  ＬＥＤユニット
１２、１３  レンズ
【図１】
2007049314.tif 000003
【図２】
2007049314.tif 000004
【図３】
2007049314.tif 000005
【図４】
2007049314.tif 000006
【図５】
2007049314.tif 000007
【図６】
2007049314.tif 000008